(57)【要約】  【課題】侵入者が窓から建物に侵入するのを効果的に阻止することができる警報錠を提供する。  【解決手段】警報錠１の本体２を、取付部３を介して窓枠３０に回動可能に取り付ける。本体２の下端面に、略Ｕ字状に窪んだ凹部５を形成する。本体２を下方に回動させ、凹部５内に窓用錠２０の操作レバー２３を収容した状態でロックすることにより、操作レバー２３を操作できない（回動させることができない）ようにする。押しボタン９１〜９４が予め定められた順序で押されることなく、本体２がロック状態で無理やり上方側に回動された場合に、本体２内に備えられたスピーカから警報を発生させる。【選択図】        図３
2006125101.tif 000002
【特許請求の範囲】
【請求項１】
窓枠に取り付けられ、支軸を中心に回動する係止体およびこの係止体を回動させるための操作レバーを有する窓用錠に適用される警報錠であって、
上記操作レバーに被せられ、操作レバーを操作できないようにするためのカバーと、
複数の押しボタンと、
警報を発生させるために動作される警報発生手段と、
上記複数の押しボタンが予め定める順序で押されたときは、上記警報発生手段を動作させず、上記複数の押しボタンが上記予め定める順序で押されることなく上記カバーが外されたときには、上記警報発生手段を動作させる制御回路と
を有することを特徴とする警報錠。
【請求項２】
上記押しボタンは、４つ設けられていることを特徴とする請求項１記載の警報錠。
【請求項３】
上記カバーが上記操作レバーに被せられた状態で、窓の外側から視認可能に設けられた発光ダイオードを有し、
上記制御回路は、機能中であることを報知するために上記発光ダイオードを発光させることを特徴とする請求項１または２記載の警報錠。
【発明の詳細な説明】
【技術分野】
【０００１】
この発明は、窓枠に取り付けられ、支軸を中心に回動する係止体およびこの係止体を回動させるための操作レバーを有する窓用錠に適用される警報錠に関する。
【背景技術】
【０００２】
従来から、窓枠に取り付けられ、支軸を中心に（略１８０°）回転することにより、閉じた窓を閉じた状態で固定し、また、開け得る状態にすることができる窓用錠が知られている。窓用錠は、たとえば、支軸を中心に回動する三日月状の係止体（いわゆるクレセント）と、この係止体を回動させるために係止体に連結された操作レバーとを有している。
泥棒などの侵入者が窓から建物に侵入しようとする場合には、通常、窓用錠の近傍における窓ガラスの一部を割り、そこから手を入れて操作レバーを把持し、係止体を回動させることにより、窓を開け得る状態とした後、窓を開けて建物に侵入する。
【０００３】
このような侵入者の侵入を阻止するために、窓用錠の回動（開錠）を検知して警報を鳴らすことができるようなセキュリティシステムが知られている（たとえば、特許文献１参照）。
【特許文献１】特開２００３−２７７８１号公報  （段落[０００３]および[図１]）
【発明の開示】
【発明が解決しようとする課題】
【０００４】
しかしながら、上記従来技術では、窓用錠の開錠を阻止することはできないため、警報は鳴るものの、侵入者は、窓用錠を開錠した後に窓から建物に侵入することができる。したがって、警報が鳴っている間に、侵入者が建物に侵入して窃盗を働く可能性があり、セキュリティが十分であるとは言えない。
一方で、侵入者が、侵入できる程度の広範囲にわたって窓ガラスを割って建物に侵入することは稀であり、侵入者は、窓用錠を容易に開錠することができなければ、建物への侵入を断念することが予想される。
【０００５】
この発明は、かかる背景のもとでなされたもので、侵入者が窓から建物に侵入するのを効果的に阻止することができる警報錠を提供することを目的とする。
【課題を解決するための手段】
【０００６】
上記目的を達成するための請求項１記載の発明は、窓枠に取り付けられ、支軸を中心に回動する係止体およびこの係止体を回動させるための操作レバーを有する窓用錠に適用される警報錠であって、上記操作レバーに被せられ、操作レバーを操作できないようにするためのカバーと、複数の押しボタンと、警報を発生させるために動作される警報発生手段と、上記複数の押しボタンが予め定める順序で押されたときは、上記警報発生手段を動作させず、上記複数の押しボタンが上記予め定める順序で押されることなく上記カバーが外されたときには、上記警報発生手段を動作させる制御回路とを有することを特徴とする警報錠である。
【０００７】
この構成によれば、カバーが操作レバーに被せられることにより、操作レバーを操作できないようにすることができるので、侵入者が、窓用錠の近傍における窓ガラスの一部を割り、そこから手を入れたとしても、操作レバーを把持して係止体を回動させることはできない。したがって、侵入者は、窓用錠を容易に開錠することができずに、建物への侵入を断念することが期待でき、侵入者が窓から建物に侵入するのを効果的に阻止することができる。
【０００８】
また、複数の押しボタンが予め定める順序で押されることなくカバーが外されたときには、警報発生手段が動作して警報が発生されるので、カバーが無理やり外されて操作レバーが回動されるのを防止でき、侵入者が窓から建物に侵入するのをさらに効果的に阻止することができる。
上記カバーを上記操作レバーに被せられた状態でロックするためのロック機構を有し、上記制御回路は、上記複数の押しボタンが上記予め定める順序で押されたときは、上記警報発生手段を動作させずに、上記ロック機構によるロック状態を解除するようになっていてもよい。
【０００９】
請求項２記載の発明のように、上記押しボタンは、４つ設けられていることが好ましい。
この場合、上記４つの押しボタンのうちの１つは、押しボタンを上記予め定める順序で押す際に操作開始の旨を入力するためのものであり、他の押しボタンのうちの１つは、押しボタンを上記予め定める順序で押す際に操作終了の旨を入力するためのものであってもよい。
【００１０】
請求項３記載の発明は、上記カバーが上記操作レバーに被せられた状態で、窓の外側から視認可能に設けられた発光ダイオードを有し、上記制御回路は、機能中であることを報知するために上記発光ダイオードを発光させることを特徴とする請求項１または２記載の警報錠である。
この構成によれば、建物に侵入しようとする侵入者は、発光（たとえば、点滅）している発光ダイオードを窓の外側から視認することにより、制御回路が機能中であることを確認し、建物への侵入を断念することが期待できる。したがって、侵入者が窓から建物に侵入するのをさらに効果的に阻止することができる。
【発明を実施するための最良の形態】
【００１１】
以下には、図面を参照して、この発明の実施形態について具体的に説明する。
図１は、この発明の第１実施形態に係る警報錠１を前方側から見た斜視図である。図２は、この警報錠１を後方側から見た斜視図である。
図１および図２を参照して、この警報錠１は、窓枠に取り付けられ、支軸を中心に回動する係止体およびこの係止体を回動させるための操作レバーを有する窓用錠に適用されるものである。警報錠１には、本体２と、本体２を窓枠に取り付けるための取付部３とが備えられている。
【００１２】
本体２は、その外形が長尺形状のケーシング４により区画されている。ケーシング４の長手方向の一端面には、長手方向に向かって略Ｕ字状に窪んだ凹部５が形成されていて、この凹部５内に窓用錠の操作レバーを収容することにより、操作レバーを操作できない（回動させることができない）ようにすることができるようになっている。ケーシング４における凹部５の周辺部分は、操作レバーに被せられ、操作レバーを操作できないようにするためのカバーを構成している。
【００１３】
取付部３は、本体２に対向配置され、本体２の長手方向に沿って長尺形状を有する薄板状に形成されている。取付部３には、当該取付部３を窓枠に取り付ける際にビスなどの固定具を通すための複数の貫通孔６が形成されている。取付部３の本体２に対向する面の所定位置には、本体２内に配置された後述するロック機構としてのソレノイド７を係止させるための係止突起８が、本体２側に向かって突出形成されている。
【００１４】
ケーシング４の取付部３と反対側の面には、複数（たとえば、４つ）の押しボタン９１，９２，９３，９４が、ケーシング４の長手方向に並べて配置されている。これらの押しボタン９１〜９４の側方には、各押しボタン９１〜９４に対応付けられ、各押しボタン９１〜９４の押操作に応答して発光する発光ダイオード（操作報知ランプ９１Ａ，９２Ａ，９３Ａ，９４Ａ）が配置されている。ケーシング４の内部には、後述するスピーカ１０が配置されており、ケーシング４の取付部３と反対側の面における凹部５側には、スピーカ１０から発生する音をケーシング４の外部に導くための複数の小孔１１が形成されている。
【００１５】
この警報錠１は、４つの押しボタン９１〜９４が予め定める順序で押されることに応答して機能し（警報を発生し得る状態となり）、機能中に４つの押しボタン９１〜９４が上記予め定める順序で押されると、機能状態（警報を発生し得る状態）が解除されるようになっている。４つの押しボタン９１〜９４のうちの１つ（たとえば、凹部５と反対側に位置する押しボタン９１）は、押しボタン９１〜９４を上記予め定める順序で押す際に操作開始の旨を入力するためのもの（操作開始キー）であり、他の押しボタン９２〜９４のうちの１つ（たとえば、凹部５側に位置する押しボタン９４）は、押しボタン９１〜９４を上記予め定める順序で押す際に操作終了の旨を入力するためのもの（操作終了キー）である。すなわち、この警報錠１を機能させ、または機能状態を解除させる際には、操作開始キー９１を操作した後、他の２つ（たとえば、真ん中の２つ）の押しボタン（入力操作キー９２，９３）を所定の順序で押し、最後に操作終了キー９４を操作すればよい。
【００１６】
ケーシング４の前面には、ソレノイド７の係止突起８に対する係止状態（ロック状態）が解除されている（開錠されている）ときに点灯する発光ダイオード（ロック解除報知ランプ１２）が配置されている。
ケーシング４の後面には、警報錠１が機能中であること（警報を発生し得る状態であること）を報知するための発光ダイオード（機能中報知ランプ１３）が配置されている。機能中報知ランプ１３の側方には、ソーラパネル１４が配置されており、このソーラパネル１４で受光した光を用いて発電を行い、発電された電力を用いて機能中報知ランプ１３を発光させることができるようになっている。
【００１７】
本体２は、その前側における長手方向の２箇所、および後側における長手方向の２箇所の計４箇所において、棒状の連結部１５を介して取付部３に連結されている。より具体的には、各連結部１５は、取付部３に対して、取付部３の短手方向（前後方向）に延びる軸線を中心に回動可能に取り付けられており、本体２に対して、本体２の短手方向（前後方向）に延びる軸線を中心に回動可能に取り付けられている。したがって、本体２を把持して長手方向に変位させることにより、図１および図２に示すように本体２を取付部３から離間させたり、図１および図２に示すような状態から本体２を回動させて、本体２を取付部３に近接（または当接）させたりすることができる。
【００１８】
本体２の長手方向一方側（凹部５側）に取り付けられた２つの連結部１５と、本体２の長手方向他端側（凹部５と反対側）に取り付けられた２つの連結部１５とは、それぞれ、略コ字状に屈曲形成された棒状部材の両端部により構成されていてもよい。
図３は、この警報錠１の取付態様を示す斜視図である。
図３を参照して、この警報錠１は、支軸２１を中心に回動する三日月状の係止体２２（いわゆるクレセント）と、この係止体２２を回動させるために係止体に連結された操作レバー２３とを有する一般的な窓用錠２０が取り付けられた窓枠３０に対して、付加的に取り付けられるものである。窓用錠２０は、たとえば、窓ガラス３０Ａが嵌め込まれた窓枠３０の外側面（窓ガラス３０Ａに直交する側面）に取り付けられ、窓ガラス３０Ａに対して平行に延びる支軸２１を中心に係止体２２を回動させることにより、この窓用錠２０が取り付けられた窓枠３０の後方側に配置された（窓ガラス３１Ａが嵌め込まれた）窓枠３１に係止体２２を係止させ、これらの２つの窓枠３０，３１の相対的な変位を規制して、閉じた窓を閉じた状態で固定することができるとともに、この状態から操作レバー２３を前方に回動させ、支軸２１を中心に係止体２２を（略１８０°）回転させることにより、窓枠３１に対する係止体２２の係止状態を解除して、窓を開け得る状態にすることができる。係止体２２が係止状態にあるときには、操作レバー２３が窓枠３０の外側面に沿って係止体２２から上方に向かって延びている。
【００１９】
警報錠１は、窓用錠２０が取り付けられている窓枠３０の外側面に対して、窓用錠２０の上方（係止体２２が係止状態にあるときに、係止体２２に対して操作レバー２３が延びている側）に、凹部５が窓用錠２０側に臨むような姿勢で取り付けられる。この状態では、警報錠１に対して前方側に建物の内部が位置し、警報錠１に対して後方側（における窓の後方）に建物の外部が位置している。したがって、ケーシング４の後面に配置された機能中報知ランプ１３は後方を向いており、後方側に配置された窓枠３１の窓ガラス３１Ａを介して、窓の外側から視認可能となっている。
【００２０】
図３に示すように、警報錠１の本体２を取付部３に対して最も上方側に回動させた状態では、窓用錠２０の操作レバー２３が本体２の凹部５に収容されておらず、操作レバー２３は操作可能な状態である。
図４は、図３に示す状態から警報錠１の本体２を下方側に回動させたときの態様を示す概略斜視図であって、（ａ）は、本体２を途中まで回動させた状態を示しており、（ｂ）は、本体２を最も下方まで回動させた状態を示している。
【００２１】
図３に示す状態から図４（ａ）に示す状態まで本体２を回動させた場合でも、窓用錠２０の操作レバー２３は、まだ、本体２の凹部５に収容されておらず、操作レバー２３は操作可能な状態である。そして、図４（ａ）に示す状態から図４（ｂ）に示す状態まで本体２を回動させると、窓用錠２０の操作レバー２３が本体２の凹部５内に収容され、操作レバー２３は操作できない状態となる。
【００２２】
図５は、この警報錠１の一部を長手方向に沿って切断したときの断面を示す概略断面図である。
図５を参照して、本体２のケーシング４内には、本体２の長手方向に沿ってスライド可能な軸状のプランジャ７０を備えたソレノイド７と、本体２と取付部３の対向方向に沿ってスライド可能な軸状の可動部１６Ａを備えたスイッチ１６とが配置されている。
【００２３】
本体２のケーシング４における取付部３に対向する壁面４０には、ソレノイド７のプランジャ７０に対向する位置と、スイッチ１６の可動部１６Ａに対向する位置とに、それぞれ貫通孔４１，４２が形成されている。図４（ｂ）に示すように、本体２を取付部３に対して最も下方側に回動させた状態では、取付部３の係止突起８が、貫通孔４１を通って本体２のケーシング４内に進入する。係止突起８には、ソレノイド７のプランジャ７０に対向する位置に挿通孔８Ａが形成されていて、この挿通孔８Ａにプランジャ７０を挿通させることにより、図４（ｂ）に示すような状態で本体２をロックすることができるようになっている。スイッチ１６の可動部１６Ａは、貫通孔４２を通ってケーシング４の外部（取付部３側）に張り出しており、図４（ｂ）に示すように、本体２を取付部３に対して最も下方側に回動させた状態では、可動部１６Ａの先端が取付部３に当接して本体２側に押圧されることにより、可動部１６Ａが本体２の内部側にスライドしてスイッチ１６がオンするようになっている。
【００２４】
図６は、ソレノイド７の内部構成を示す概略断面図である。
図６を参照して、ソレノイド７は、いわゆる自己保持型のものであって、その外形を区画する有底筒状のフレーム７１と、一端部がフレーム７１の開口部から外方に突出するように他端部側がフレーム７１内に挿入された軸状のプランジャ７０と、プランジャ７０を軸方向にスライド可能に保持するスリーブ７２と、スリーブ７２を位置決めするためのベース７３と、フレーム７１内におけるプランジャ７０の他端部側に配置され、スリーブ７２が挿通されたボビン７４と、ボビン７４の外周面に巻き付けられたコイル７５と、フレーム７１内におけるプランジャ７０の一端部側に配置され、スリーブ７２が挿通された永久磁石７６と、フレーム７１の開口部を塞ぐプレート７７と、プランジャ７０を軸方向に沿って他端部側から一端部側に向けて付勢するためのスプリング７８とを備えている。
【００２５】
プランジャ７０は、たとえば鉄により形成されていて、コイル７５に所定の電圧を印加すると、磁力により、プランジャ７０が軸方向に沿ってフレーム７１の内方に吸引される。吸引されたプランジャ７０は、永久磁石７６に吸着され、コイル７５への通電が終了した後もその位置で保持される。この状態から、コイル７５に逆極性の電圧を印加すると、磁力により、プランジャ７０が軸方向に沿ってフレーム７１の外方に復帰される。復帰されたプランジャ７０は、スプリング７８の付勢力によって、コイル７５への通電が終了した後もその位置で保持される。
【００２６】
図７は、この警報錠１の電気的構成を示すブロック図である。
図７を参照して、この警報錠１の動作は、本体２のケーシング４内に配置された制御回路に含まれるマイクロコンピュータ（マイコン）１７により制御される。マイクロコンピュータ１７には、押しボタン９１〜９４を含むキー入力部９の他、スイッチ１６、ソレノイド７、ソーラパネル１４、発光ダイオード１２，１３，９１Ａ〜９４Ａおよびスピーカ１０などが電気的に接続されている。
【００２７】
ケーシング４内には、乾電池などの蓄電装置を配置することができるようになっていて、この蓄電装置から供給される電力により、ソレノイド７、操作報知ランプ９１Ａ〜９４Ａ、ロック解除報知ランプ１２およびスピーカ１０などが動作されるようになっている。一方、上述の通り、機能中報知ランプ１３は、ソーラパネル１４で受光した光を用いて発電された電力を用いて動作（発光）されるようになっている。
【００２８】
図８は、この警報錠１を使用する際のマイクロコンピュータ１７による制御内容を示すフローチャートである。
図８を参照して、マイクロコンピュータ１７は、操作開始キー９１が押されたかどうか（ステップＳ１）、および、スイッチ１６がオン状態からオフしたかどうか（ステップＳ１２）を監視している。
【００２９】
スイッチ１６がオン状態からオフした場合（ステップＳ１２でＹＥＳ）、そのときソレノイド７がロック状態であれば（ステップＳ１３でＹＥＳ）、マイクロコンピュータ１７は、本体２が無理やり上方側に回動されたと判断して、スピーカ１０から警報を発生させる（ステップＳ１４）。一方、スイッチ１６がオン状態からオフしたときに、ソレノイド７がロック状態でなければ（ステップＳ１３でＮＯ）、マイクロコンピュータ１７は、警報を発生させることなく、再び、操作開始キー９１が押されたかどうか（ステップＳ１）、および、スイッチ１６がオン状態からオフしたかどうか（ステップＳ１２）を監視する。
【００３０】
操作開始キー９１が押された場合（ステップＳ１でＹＥＳ）、マイクロコンピュータ１７は、その後に操作終了キー９４が押されたかどうかを監視し（ステップＳ２）、操作終了キー９４が押された時点で（ステップＳ２でＹＥＳ）、操作開始キー９１が押されてから操作終了キー９４が押されるまでに押された入力操作キー９２．９３の順序が正しい順序であったかどうかを判定する（ステップＳ３）。
【００３１】
入力操作キー９２，９３が正しい順序で押されていた場合には（ステップＳ３でＹＥＳ）、マイクロコンピュータ１７は、そのときソレノイド７がロック状態であるか否かを確認する（ステップＳ４）。そして、ソレノイド７がロック状態でなければ（ステップＳ４でＮＯ）、マイクロコンピュータ１７は、ソレノイド７を復帰させてロック状態とした後（ステップＳ８）、消灯している機能中報知ランプ１３を点滅させるとともに（ステップＳ９）、点灯しているロック解除報知ランプ１２を消灯させる（ステップＳ１０）。一方、ソレノイド７がロック状態であれば（ステップＳ４でＹＥＳ）、マイクロコンピュータ１７は、ソレノイド７を吸引させてロック状態を解除した後（ステップＳ５）、点滅している機能中報知ランプ１３を消灯させるとともに（ステップＳ６）、消灯しているロック解除報知ランプ１２を点灯させる（ステップＳ７）。その後、マイクロコンピュータ１７は、再び、操作開始キー９１が押されたかどうか（ステップＳ１）、および、スイッチ１６がオン状態からオフしたかどうか（ステップＳ１２）を監視する。
【００３２】
入力操作キー９２，９３が正しい順序で押されていなかった場合でも（ステップＳ３でＮＯ）、それが所定回数まで（たとえば、１回まで）であれば（ステップＳ１１でＮＯ）、マイクロコンピュータ１７は、警報を発生させることなく、再び、操作開始キー９１が押されたかどうか（ステップＳ１）、および、スイッチ１６がオン状態からオフしたかどうか（ステップＳ１２）を監視する。これにより、使用者が入力操作キー９２，９３を押す順序を１回間違っただけで警報が発生するのを防止できる。一方、入力操作キー９２，９３が２回以上正しい順序で押されなかった場合には（ステップＳ１１でＹＥＳ）、マイクロコンピュータ１７は、スピーカ１０から警報を発生させる（ステップＳ１４）。
【００３３】
スピーカ１０から発生される警報は、たとえば、１００ｄＢ程度であって、所定時間（たとえば、１５秒）だけ連続して発生される。
この実施形態では、カバー（本体２のケーシング４における凹部５の周辺部分）が操作レバー２３に被せられることにより、操作レバー２３を操作できないようにすることができるので、侵入者が、窓用錠２０の近傍における窓ガラスの一部を割り、そこから手を入れたとしても、操作レバー２３を把持して係止体２２を回動させることはできない。したがって、侵入者は、窓用錠２０を容易に開錠することができずに、建物への侵入を断念することが期待でき、侵入者が窓から建物に侵入するのを効果的に阻止することができる。
【００３４】
また、複数の押しボタン９１〜９４が予め定める順序で押されることなくカバーが外されたとき（本体２が上方側に回動されたとき）には、スピーカ１０から警報が発生されるので、カバーが無理やり外されて操作レバー２３が回動されるのを防止でき、侵入者が窓から建物に侵入するのをさらに効果的に阻止することができる。
さらに、建物に侵入しようとする侵入者は、点滅している機能中報知ランプ１３を窓の外側から視認することにより、制御回路が機能中であることを確認し、建物への侵入を断念することが期待できる。したがって、侵入者が窓から建物に侵入するのをさらに効果的に阻止することができる。
【００３５】
図９は、この発明の第２実施形態に係る警報錠１０１を前方側から見た概略斜視図であって、（ａ）は、ロック状態における警報錠１０１の斜視図、（ｂ）は、ロックが解除された状態における警報錠１０１の斜視図である。また、図１０は、この警報錠１０１を後方側から見た概略斜視図である。
図９および図１０を参照して、この警報錠１０１は、窓枠３０に取り付けられ、支軸２１を中心に回動する係止体２２およびこの係止体２２を回動させるための操作レバー２３を有する窓用錠２０に適用されるものである。警報錠１０１には、警報を発生させるためのスピーカ（図示せず）を備えた本体１０２と、本体１０２に対して回動可能に取り付けられたカバー１０３とが備えられている。
【００３６】
本体１０２は、その外形が長尺形状のケーシング１０４により区画されている。本体１０２には、ケーシング１０４の長手方向の一端部（上端部）に設けられた回動軸１０４Ａを中心に、カバー１０３が回動可能に取り付けられている。カバー１０３は、前面板１０３Ａ、後面板１０３Ｂ、側面板１０３Ｃおよび上面板１０３Ｄを有する中空状の部材であって、このカバー１０３内に窓用錠２０を収容することにより、操作レバー２３を操作できない（回動させることができない）ようにすることができるようになっている。カバー１０３の後面板１０３Ｂにおける側面板１０３Ｃと反対側の側縁には、凹部１０３Ｅが形成されており、カバー１０３を閉じた状態では、この凹部１０３Ｅと窓枠３０とで区画される空間内に、カバー１０３内に収容された窓用錠２０の係止体２２の一部を挿通することができるようになっている。
【００３７】
カバー１０３の後面板１０３Ｂにおける上面板１０３Ｄと反対側の端縁には、平板状の突起１０５が形成されている。本体１０２の長手方向の一端面（上端面）には、カバー１０３を閉じた状態で突起１０５を挿通させるための挿通孔１０６が形成されている。本体１０２内には、たとえば、図５および図６を用いて説明したような構成を有するソレノイド７およびスイッチ１６（図示せず）が配置されており、カバー１０３を閉じた状態で、スイッチ１６の可動部１６Ａが突起１０５により押圧されてスイッチ１６がオンするとともに、ソレノイド７のプランジャ７０が突起１０５に形成された貫通孔（図示せず）に係止されることにより、カバー１０３が閉じた状態でロックされるようになっている。
【００３８】
ケーシング１０４の前面には、複数（たとえば、４つ）の押しボタン１９１，１９２，１９３，１９４が、ケーシング１０４の短手方向に並べて配置されている。この警報錠１０１は、４つの押しボタン１９１〜１９４が予め定める順序で押されることに応答して機能し、機能中に４つの押しボタン１９１〜１９４が上記予め定める順序で押されると、機能状態が解除されるようになっている。４つの押しボタン１９１〜１９４のうちの１つは、押しボタンを上記予め定める順序で押す際に操作開始の旨を入力するためのもの（操作開始キー）であり、他の押しボタンのうちの１つは、押しボタンを上記予め定める順序で押す際に操作終了の旨を入力するためのもの（操作終了キー）である。すなわち、この警報錠１０１を機能させ、または機能状態を解除させる際には、操作開始キーを操作した後、他の２つの押しボタン（入力操作キー）を所定の順序で押し、最後に操作終了キーを操作すればよい。
【００３９】
ケーシング１０４の前面には、ソレノイド７の係止状態（ロック状態）が解除されている（開錠されている）ときに点灯する発光ダイオード（ロック解除報知ランプ１１２）が配置されている。
ケーシング１０４の後面には、警報錠１０１が機能中であることを報知するための発光ダイオード（機能中報知ランプ１１３）が配置されている。機能中報知ランプ１１３の側方には、ソーラパネル１１４が配置されており、このソーラパネル１１４で受光した光を用いて発電を行い、発電された電力を用いて機能中報知ランプ１１３を発光させることができるようになっている。
【００４０】
警報錠１０１は、その本体１０２が、窓用錠２０が取り付けられている窓枠３０の外側面に対して、窓用錠２０の下方に、カバー１０３が閉じた状態で本体１０２の上方に位置するような姿勢で取り付けられる。この状態では、警報錠１０１に対して前方側に建物の内部が位置し、警報錠１０１に対して後方側（における窓の後方）に建物の外部が位置している。したがって、ケーシング１０４の後面に配置された機能中報知ランプ１１３は後方を向いており、後方側に配置された窓枠の窓ガラスを介して、窓の外側から視認可能となっている。
【００４１】
警報錠１０１の本体１０２内には、マイクロコンピュータを含む制御回路（図示せず）が配置されており、この制御回路のマイクロコンピュータが、図８に示すような制御と同様の制御を行うこととなる。
この実施形態では、カバー１０３が操作レバー２３に被せられることにより、操作レバー２３を操作できないようにすることができるので、侵入者が、窓用錠２０の近傍における窓ガラスの一部を割り、そこから手を入れたとしても、操作レバー２３を把持して係止体２２を回動させることはできない。したがって、侵入者は、窓用錠２０を容易に開錠することができずに、建物への侵入を断念することが期待でき、侵入者が窓から建物に侵入するのを効果的に阻止することができる。
【００４２】
また、複数の押しボタン１９１〜１９４が予め定める順序で押されることなくカバー１０３が外されたとき（カバーが１０３回動されたとき）には、スピーカから警報が発生されるので、カバー１０３が無理やり外されて操作レバー２３が回動されるのを防止でき、侵入者が窓から建物に侵入するのをさらに効果的に阻止することができる。
さらに、建物に侵入しようとする侵入者は、点滅している機能中報知ランプ１１３を窓の外側から視認することにより、制御回路が機能中であることを確認し、建物への侵入を断念することが期待できる。したがって、侵入者が窓から建物に侵入するのをさらに効果的に阻止することができる。
【００４３】
図１１は、この発明の第３実施形態に係る警報錠２０１を前方側から見た概略斜視図であって、（ａ）は、ロック状態における警報錠２０１の斜視図、（ｂ）は、ロックが解除された状態における警報錠２０１の斜視図である。
図１１を参照して、この警報錠２０１は、窓枠３０に取り付けられ、支軸２１を中心に回動する係止体２２およびこの係止体２２を回動させるための操作レバー２３を有する窓用錠２０に適用されるものである。警報錠２０１には、警報を発生させるためのスピーカ（図示せず）を備えた本体２０２と、本体２０２を窓枠３０に取り付けるための取付部２０３とが備えられている。
【００４４】
本体２０２は、その外形が長尺形状のケーシング２０４により区画されている。ケーシング２０４の長手方向の一端面（下端面）には、長手方向に向かって略Ｕ字状に窪んだ凹部２０５が形成されていて、この凹部２０５内に窓用錠２０の操作レバー２３を収容することにより、操作レバー２３を操作できない（回動させることができない）ようにすることができるようになっている。ケーシング２０４における凹部２０５の周辺部分は、操作レバー２３に被せられ、操作レバー２３を操作できないようにするためのカバーを構成している。
【００４５】
取付部２０３は、本体２０２に対向配置され、本体２０２の長手方向に沿って長尺形状を有する薄板状に形成されている。本体２０２は、取付部２０３に対して長手方向（上下方向）にスライド可能に取り付けられている。本体２０２内には、たとえば、図５および図６を用いて説明したような構成を有するソレノイド７およびスイッチ１６（図示せず）が配置されており、本体２０２を取付部２０３に対して下方にスライドさせて凹部２０５内に窓用錠２０の操作レバー２３を収容した状態（図１１（ａ）に示すような状態）で、スイッチ１６の可動部１６Ａが押圧されてスイッチ１６がオンするとともに、ソレノイド７のプランジャ７０が取付部３に係止されることにより、カバーが閉じた状態でロックされるようになっている。
【００４６】
ケーシング２０４の取付部２０３と反対側の面には、複数（たとえば、４つ）の押しボタン２９１，２９２，２９３，２９４が、ケーシング２０４の短手方向に並べて配置されている。この警報錠２０１は、４つの押しボタン２９１〜２９４が予め定める順序で押されることに応答して機能し、機能中に４つの押しボタン２９１〜２９４が上記予め定める順序で押されると、機能状態が解除されるようになっている。４つの押しボタン２９１〜２９４のうちの１つは、押しボタンを上記予め定める順序で押す際に操作開始の旨を入力するためのもの（操作開始キー）であり、他の押しボタンのうちの１つは、押しボタンを上記予め定める順序で押す際に操作終了の旨を入力するためのもの（操作終了キー）である。すなわち、この警報錠２０１を機能させ、または機能状態を解除させる際には、操作開始キーを操作した後、他の２つの押しボタン（入力操作キー）を所定の順序で押し、最後に操作終了キーを操作すればよい。
【００４７】
ケーシング２０４の前面には、ソレノイド７の係止状態（ロック状態）が解除されている（開錠されている）ときに点灯する発光ダイオード（ロック解除報知ランプ２１２）が配置されている。
ケーシング２０４の後面には、警報錠２０１が機能中であることを報知するための発光ダイオード（機能中報知ランプ２１３）が配置されている。機能中報知ランプ２１３の側方には、ソーラパネル（図示せず）が配置されており、このソーラパネルで受光した光を用いて発電を行い、発電された電力を用いて機能中報知ランプ２１３を発光させることができるようになっている。
【００４８】
警報錠２０１は、窓用錠２０が取り付けられている窓枠３０の外側面に対して、窓用錠２０の上方（係止体２２が係止状態にあるときに、係止体２２に対して操作レバー２３が延びている側）に、凹部２０５が窓用錠２０側に臨むような姿勢で取り付けられる。この状態では、警報錠２０１に対して前方側に建物の内部が位置し、警報錠２０１に対して後方側（における窓の後方）に建物の外部が位置している。したがって、ケーシング２０４の後面に配置された機能中報知ランプ２１３は後方を向いており、後方側に配置された窓枠の窓ガラスを介して、窓の外側から視認可能となっている。
【００４９】
警報錠２０１の本体２０２内には、マイクロコンピュータを含む制御回路（図示せず）が配置されており、この制御回路のマイクロコンピュータが、図８に示すような制御と同様の制御を行うこととなる。
この実施形態では、カバー（本体２０２のケーシング２０４における凹部２０５の周辺部分）が操作レバー２３に被せられることにより、操作レバー２３を操作できないようにすることができるので、侵入者が、窓用錠２０の近傍における窓ガラスの一部を割り、そこから手を入れたとしても、操作レバー２３を把持して係止体２２を回動させることはできない。したがって、侵入者は、窓用錠２０を容易に開錠することができずに、建物への侵入を断念することが期待でき、侵入者が窓から建物に侵入するのを効果的に阻止することができる。
【００５０】
また、複数の押しボタン２９１〜２９４が予め定める順序で押されることなくカバーが外されたとき（本体２０２が上方側にスライドされたとき）には、スピーカから警報が発生されるので、カバーが無理やり外されて操作レバー２３が回動されるのを防止でき、侵入者が窓から建物に侵入するのをさらに効果的に阻止することができる。
さらに、建物に侵入しようとする侵入者は、点滅している機能中報知ランプ２１３を窓の外側から視認することにより、制御回路が機能中であることを確認し、建物への侵入を断念することが期待できる。したがって、侵入者が窓から建物に侵入するのをさらに効果的に阻止することができる。
【００５１】
図１２は、この発明の第４実施形態に係る警報錠３０１を前方側から見た概略斜視図であって、（ａ）は、ロック状態における警報錠３０１の斜視図、（ｂ）は、ロックが解除された状態における警報錠３０１の斜視図である。
図１２を参照して、この警報錠３０１は、窓枠３０に取り付けられ、支軸２１を中心に回動する係止体２２およびこの係止体２２を回動させるための操作レバー２３を有する窓用錠２０に適用されるものである。警報錠３０１には、警報を発生させるためのスピーカ（図示せず）を備えた本体３０２と、本体３０２を窓枠３０に取り付けるための取付部３０３とが備えられている。
【００５２】
本体３０２は、その外形が長尺形状のケーシング３０４により区画されている。ケーシング３０４の長手方向の一端面（下端面）には、長手方向に向かって略Ｕ字状に窪んだ凹部３０５が形成されていて、この凹部３０５内に窓用錠２０の操作レバー２３を収容することにより、操作レバー２３を操作できない（回動させることができない）ようにすることができるようになっている。ケーシング３０４における凹部３０５の周辺部分は、操作レバー２３に被せられ、操作レバー２３を操作できないようにするためのカバーを構成している。
【００５３】
取付部３０３は、本体３０２に対向配置され、本体３０２の長手方向に沿って長尺形状を有する薄板状に形成されている。本体３０２は、その長手方向の一端部（上端部）に設けられた回動軸（図示せず）を中心に、取付部３０３に対して回動可能に取り付けられている。本体３０２内には、たとえば、図５および図６を用いて説明したような構成を有するソレノイド７およびスイッチ１６（図示せず）が配置されており、本体３０２を取付部３０３側に回動させて凹部３０５内に窓用錠２０の操作レバー２３を収容した状態（図１２（ａ）に示すような状態）で、スイッチ１６の可動部１６Ａが押圧されてスイッチ１６がオンするとともに、ソレノイド７のプランジャ７０が取付部３０３に係止されることにより、カバーが閉じた状態でロックされるようになっている。
【００５４】
ケーシング３０４の取付部３０３と反対側の面には、複数（たとえば、４つ）の押しボタン３９１，３９２，３９３，３９４が、ケーシング３０４の短手方向に並べて配置されている。この警報錠３０１は、４つの押しボタン３９１〜３９４が予め定める順序で押されることに応答して機能し、機能中に４つの押しボタン３９１〜３９４が上記予め定める順序で押されると、機能状態が解除されるようになっている。４つの押しボタン３９１〜３９４のうちの１つは、押しボタンを上記予め定める順序で押す際に操作開始の旨を入力するためのもの（操作開始キー）であり、他の押しボタンのうちの１つは、押しボタンを上記予め定める順序で押す際に操作終了の旨を入力するためのもの（操作終了キー）である。すなわち、この警報錠３０１を機能させ、または機能状態を解除させる際には、操作開始キーを操作した後、他の２つの押しボタン（入力操作キー）を所定の順序で押し、最後に操作終了キーを操作すればよい。
【００５５】
ケーシング３０４の前面には、ソレノイド７の係止状態（ロック状態）が解除されている（開錠されている）ときに点灯する発光ダイオード（ロック解除報知ランプ３１２）が配置されている。
ケーシング３０４の後面には、警報錠３０１が機能中であることを報知するための発光ダイオード（機能中報知ランプ３１３）が配置されている。機能中報知ランプ３１３の側方には、ソーラパネル（図示せず）が配置されており、このソーラパネルで受光した光を用いて発電を行い、発電された電力を用いて機能中報知ランプ３１３を発光させることができるようになっている。
【００５６】
警報錠３０１は、窓用錠２０が取り付けられている窓枠３０の外側面に対して、窓用錠２０の上方（係止体２２が係止状態にあるときに、係止体２２に対して操作レバー２３が延びている側）に、凹部３０５が窓用錠２０側に臨むような姿勢で取り付けられる。この状態では、警報錠３０１に対して前方側に建物の内部が位置し、警報錠３０１に対して後方側（における窓の後方）に建物の外部が位置している。したがって、ケーシング３０４の後面に配置された機能中報知ランプ３１３は後方を向いており、後方側に配置された窓枠の窓ガラスを介して、窓の外側から視認可能となっている。
【００５７】
警報錠３０１の本体３０２内には、マイクロコンピュータを含む制御回路（図示せず）が配置されており、この制御回路のマイクロコンピュータが、図８に示すような制御と同様の制御を行うこととなる。
この実施形態では、カバー（本体３０２のケーシング３０４における凹部３０５の周辺部分）が操作レバー２３に被せられることにより、操作レバー２３を操作できないようにすることができるので、侵入者が、窓用錠２０の近傍における窓ガラスの一部を割り、そこから手を入れたとしても、操作レバー２３を把持して係止体２２を回動させることはできない。したがって、侵入者は、窓用錠２０を容易に開錠することができずに、建物への侵入を断念することが期待でき、侵入者が窓から建物に侵入するのを効果的に阻止することができる。
【００５８】
また、複数の押しボタン３９１〜３９４が予め定める順序で押されることなくカバーが外されたとき（本体３０２が上方側に回動されたとき）には、スピーカから警報が発生されるので、カバーが無理やり外されて操作レバー２３が回動されるのを防止でき、侵入者が窓から建物に侵入するのをさらに効果的に阻止することができる。
さらに、建物に侵入しようとする侵入者は、点滅している機能中報知ランプ３１３を窓の外側から視認することにより、制御回路が機能中であることを確認し、建物への侵入を断念することが期待できる。したがって、侵入者が窓から建物に侵入するのをさらに効果的に阻止することができる。
【００５９】
図１３は、この発明の第５実施形態に係る警報錠４０１を前方側から見た概略斜視図であって、（ａ）は、ロック状態における警報錠４０１の斜視図、（ｂ）は、ロックが解除された状態における警報錠４０１の斜視図である。
図１３を参照して、この警報錠４０１は、窓枠３０に取り付けられ、支軸２１を中心に回動する係止体２２およびこの係止体２２を回動させるための操作レバー２３を有する窓用錠２０に適用されるものである。警報錠４０１には、警報を発生させるためのスピーカ（図示せず）を備えた本体４０２と、本体４０２に対して回動可能に取り付けられたカバー４０３とが備えられている。
【００６０】
本体４０２は、その外形が長尺形状のケーシング４０４により区画されている。本体４０２には、ケーシング４０４の長手方向の一端部（下端部）に設けられた回動軸４０３Ａを中心に、カバー４０３が回動可能に取り付けられている。カバー４０３は、前後方向に回動可能であって、窓用錠２０の操作レバー２３の前方側（窓を開ける際に操作レバー２３が回動される側）をカバー４０３で覆うことにより、操作レバー２３を操作できない（前方側に回動させることができない）ようにすることができるようになっている。
【００６１】
本体４０２内には、たとえば、図５および図６を用いて説明したような構成を有するソレノイド７およびスイッチ１６（図示せず）が配置されており、カバー４０３を本体４０２に対して下方に回動させて窓用錠２０の操作レバー２３の前方側を覆った状態（図１３（ａ）に示すような状態）で、スイッチ１６の可動部１６Ａが押圧されてスイッチ１６がオンするとともに、ソレノイド７のプランジャ７０がカバー４０３に係止されることにより、カバー４０３が閉じた状態でロックされるようになっている。
【００６２】
ケーシング４０４の前面には、複数（たとえば、４つ）の押しボタン４９１，４９２，４９３，４９４が、ケーシング４０４の短手方向に並べて配置されている。この警報錠４０１は、４つの押しボタン４９１〜４９４が予め定める順序で押されることに応答して機能し、機能中に４つの押しボタン４９１〜４９４が上記予め定める順序で押されると、機能状態が解除されるようになっている。４つの押しボタン４９１〜４９４のうちの１つは、押しボタンを上記予め定める順序で押す際に操作開始の旨を入力するためのもの（操作開始キー）であり、他の押しボタンのうちの１つは、押しボタンを上記予め定める順序で押す際に操作終了の旨を入力するためのもの（操作終了キー）である。すなわち、この警報錠４０１を機能させ、または機能状態を解除させる際には、操作開始キーを操作した後、他の２つの押しボタン（入力操作キー）を所定の順序で押し、最後に操作終了キーを操作すればよい。
【００６３】
ケーシング４０４の前面には、ソレノイド７の係止状態（ロック状態）が解除されている（開錠されている）ときに点灯する発光ダイオード（ロック解除報知ランプ４１２）が配置されている。
ケーシング４０４の後面には、警報錠４０１が機能中であることを報知するための発光ダイオード（機能中報知ランプ４１３）が配置されている。機能中報知ランプ４１３の側方には、ソーラパネル（図示せず）が配置されており、このソーラパネルで受光した光を用いて発電を行い、発電された電力を用いて機能中報知ランプ４１３を発光させることができるようになっている。
【００６４】
警報錠４０１は、窓用錠２０が取り付けられている窓枠３０の外側面に対して、窓用錠２０の上方（係止体２２が係止状態にあるときに、係止体２２に対して操作レバー２３が延びている側）に、カバー４０３が窓用錠２０側に臨むような姿勢で取り付けられる。この状態では、警報錠４０１に対して前方側に建物の内部が位置し、警報錠４０１に対して後方側（における窓の後方）に建物の外部が位置している。したがって、ケーシング４０４の後面に配置された機能中報知ランプ４１３は後方を向いており、後方側に配置された窓枠の窓ガラスを介して、窓の外側から視認可能となっている。
【００６５】
警報錠４０１の本体４０２内には、マイクロコンピュータを含む制御回路（図示せず）が配置されており、この制御回路のマイクロコンピュータが、図８に示すような制御と同様の制御を行うこととなる。
この実施形態では、カバー４０３が操作レバー２３に被せられる（操作レバー２３の前方側を覆う）ことにより、操作レバー２３を操作できないようにすることができるので、侵入者が、窓用錠２０の近傍における窓ガラスの一部を割り、そこから手を入れたとしても、操作レバー２３を把持して係止体２２を回動させることはできない。したがって、侵入者は、窓用錠２０を容易に開錠することができずに、建物への侵入を断念することが期待でき、侵入者が窓から建物に侵入するのを効果的に阻止することができる。
【００６６】
また、複数の押しボタン４９１〜４９４が予め定める順序で押されることなくカバー４０３が外されたとき（カバー４０３が回動されたとき）には、スピーカから警報が発生されるので、カバー４０３が無理やり外されて操作レバー２３が回動されるのを防止でき、侵入者が窓から建物に侵入するのをさらに効果的に阻止することができる。
さらに、建物に侵入しようとする侵入者は、点滅している機能中報知ランプ４１３を窓の外側から視認することにより、制御回路が機能中であることを確認し、建物への侵入を断念することが期待できる。したがって、侵入者が窓から建物に侵入するのをさらに効果的に阻止することができる。
【００６７】
この発明は、以上の実施形態の内容に限定されるものではなく、請求項記載の範囲内において種々の変更が可能である。
たとえば、機能中報知ランプ１３，１１３，２１３，３１３，４１３は、発光時に点滅するような構成に限らず、点灯するような構成であってもよい。ロック解除報知ランプ１２，１１２，２１２，３１２，４１２は、発光時に点灯するような構成に限らず、点滅するような構成であってもよい。
【００６８】
上記実施形態では、警報錠１，１０１，２０１，３０１，４０１の本体２，１０２，２０２，３０２，４０２に押しボタンが４つ備えられたような構成について説明したが、このような構成に限らず、押しボタンは、３つ以下であってもよいし、５つ以上であってもよい。
警報錠１，１０１，２０１，３０１，４０１を窓枠３０に取り付ける方法は、ビスなどの固定具を用いて取り付けるような方法に限らず、たとえば、（強力な）両面テープを用いて取り付けるような方法であれば、容易に取り付けることができる。
【図面の簡単な説明】
【００６９】
【図１】この発明の第１実施形態に係る警報錠を前方側から見た斜視図である。
【図２】この警報錠を後方側から見た斜視図である。
【図３】この警報錠の取付態様を示す斜視図である。
【図４】図３に示す状態から警報錠の本体を下方側に回動させたときの態様を示す概略斜視図であって、（ａ）は、本体を途中まで回動させた状態を示しており、（ｂ）は、本体を最も下方まで回動させた状態を示している。
【図５】この警報錠の一部を長手方向に沿って切断したときの断面を示す概略断面図である。
【図６】ソレノイドの内部構成を示す概略断面図である。
【図７】この警報錠の電気的構成を示すブロック図である。
【図８】この警報錠を使用する際のマイクロコンピュータによる制御内容を示すフローチャートである。
【図９】この発明の第２実施形態に係る警報錠を前方側から見た概略斜視図であって、（ａ）は、ロック状態における警報錠の斜視図、（ｂ）は、ロックが解除された状態における警報錠の斜視図である。
【図１０】この警報錠を後方側から見た概略斜視図である。
【図１１】この発明の第３実施形態に係る警報錠を前方側から見た概略斜視図であって、（ａ）は、ロック状態における警報錠の斜視図、（ｂ）は、ロックが解除された状態における警報錠の斜視図である。
【図１２】この発明の第４実施形態に係る警報錠を前方側から見た概略斜視図であって、（ａ）は、ロック状態における警報錠の斜視図、（ｂ）は、ロックが解除された状態における警報錠の斜視図である。
【図１３】この発明の第５実施形態に係る警報錠を前方側から見た概略斜視図であって、（ａ）は、ロック状態における警報錠の斜視図、（ｂ）は、ロックが解除された状態における警報錠の斜視図である。
【符号の説明】
【００７０】
１  警報錠
５  凹部
１０  スピーカ
１３  機能中報知ランプ
１７  マイクロコンピュータ
２０  窓用錠
２１  支軸
２２  係止体
２３  操作レバー
３０  窓枠
９１〜９４  押しボタン
１０１  警報錠
１０３  カバー
１１３  機能中報知ランプ
１９１〜１９４  押しボタン
２０１  警報錠
２０５  凹部
２１３  機能中報知ランプ
２９１〜２９４  押しボタン
３０１  警報錠
３０５  凹部
３１３  機能中報知ランプ
３９１〜３９４  押しボタン
４０１  警報錠
４０３  カバー
４１３  機能中報知ランプ
４９１〜４９４  押しボタン
【図１】
2006125101.tif 000003
【図２】
2006125101.tif 000004
【図３】
2006125101.tif 000005
【図４】
2006125101.tif 000006
【図５】
2006125101.tif 000007
【図６】
2006125101.tif 000008
【図７】
2006125101.tif 000009
【図８】
2006125101.tif 000010
【図９】
2006125101.tif 000011
【図１０】
2006125101.tif 000012
【図１１】
2006125101.tif 000013
【図１２】
2006125101.tif 000014
【図１３】
2006125101.tif 000015